(57)【要約】【課題】操作が簡単で、構造が簡単である蝶番の緩衝装置を提供する。【解決手段】固定台１、滑動台２、緩衝器３および調整器４から構成されている。固定台１は、第一端１４、第二端１５、固定耳１１、ねじ紋孔１２及び滑動槽１３を含み、固定耳１１は第一端１４の両側に設置され、ねじ紋孔１２は第二端１５の塊体上に設置され、滑動槽１３は第一端１４と第二端１５との間に設置されている。滑動台２は、内部に納置室２１が形成され、外側には嵌合滑動部２２が設置され、滑動槽１３に嵌合する。緩衝器３は、気筒で、最上桿３１が設置され、最上桿３１は滑動台２に固定され、気筒は納置室２１に設置されている。調整器４は、ねじ栓４１を含み、ねじ栓４１はねじ紋孔１２に螺合し、滑動台２に連結され、ねじ栓４１を回転してねじ紋孔１２に対応回転し、滑動台２を連動して移動する。【選択図】図１
0003129172.tif 000002
【実用新案登録請求の範囲】
【請求項１】
固定台、滑動台、緩衝器および調整器を備え、
前記固定台は、第一端、第二端、固定耳、ねじ紋孔及び滑動槽を有し、固定耳は第一端の両側に設置され、ねじ紋孔は第二端の塊体上に設置され、ねじ紋孔の中心軸線と滑動槽が平行で、滑動槽は第一端と第二端との間に設置され、
前記滑動台は、内部に納置室が形成され、外側には嵌合滑動部が設置され、固定台の滑動槽に対応して嵌合し、
前記緩衝器は、気筒を有し、最上桿が設置され、最上桿は滑動台に固定され、気筒は滑動台の納置室に設置され、
前記調整器は、ねじ栓を有し、ねじ栓は固定台のねじ紋孔に対応して螺合され、滑動台に対応して連結され、ねじ栓は回転してねじ紋孔に対応して回転され、滑動台が連動して移動されることを特徴とする蝶番の緩衝装置。
【請求項２】
前記固定耳は、穿孔を有することを特徴とする請求項１記載の蝶番の緩衝装置。
【請求項３】
前記滑動台は、係止槽及び調整器上に対応する係止塊が設置されて固定されていることを特徴とする請求項１記載の蝶番の緩衝装置。
【請求項４】
前記係止槽及び係止塊は、相対するＴ型断面であることを特徴とする請求項３記載の蝶番の緩衝装置。
【請求項５】
前記調整器のねじ栓は、回転ボタンを有することを特徴とする請求項１記載の蝶番の緩衝装置。
【請求項６】
第一端の両側に固定耳が設置され、固定耳は穿孔を有し蝶番ヘッド台のねじ孔に対応する固定座と、
内部に納置室が形成され、固定台上に連接する滑動台と、
気筒を有し、最上桿が設置され、最上桿は滑動台に固定され、気筒は滑動台の納置室に設置され、気筒は滑動台から突出して固定耳の方向を向き、これらによって気筒の突出部が蝶番の延長腕を押さえる緩衝器と、
を備えることを特徴とする蝶番の緩衝装置。
【請求項７】
前記滑動台と固定台は、一体成形されていることを特徴とする請求項６記載の蝶番の緩衝装置。
【考案の詳細な説明】
【技術分野】
【０００１】
本考案は、蝶番の緩衝装置に関するもので、従来の蝶番と共に設置するもので、調整器を含み、緩衝器の緩衝位置と押止力を調整する。
【背景技術】
【０００２】
一般によく見られる家具の蝶番は、ヘッド台、延長腕及び固定片を含み、延長腕をヘッド台に枢設して開けるようにする。ヘッド台は、通常、扉板等の物品に固定し、延長腕は棚に固定した固定片に連接する。更に、延長腕には弾性部品を設置し、扉板を引戻して棚を遮蔽定位する。
しかしながら、この種の扉板を結合する蝶番は、棚に接触した時、騒音が発生するため、一部の棚には別に緩衝装置を設置して衝撃を吸収する。
【０００３】
これらの緩衝装置は、大抵筐体及び緩衝部品を含み、緩衝部品は筐体内に設置される。筐体は、扉板もしくは棚に固定する。緩衝部品は、気圧桿もしくは液圧桿であるが、もちろんばねの構造を使用してもよいが、故障しやすい。
緩衝装置の緩衝部品は、扉板が閉まる時、棚もしくは扉板を押さえ、延長腕に対応する弾性部品が弱い抵抗力を与え、扉板をゆっくりと閉める。
【０００４】
しかしながら、延長腕の弾性部品と緩衝部品は、使用が長くなると、そのうちのひとつもしくは両者が同時に疲労を起こし、調整を必要とする。更に、扉板が閉鎖する時の緩衝過程も適時調整を必要とする。しかし、公知の下記緩衝部品は、調整ができないか、もしくは、取り外して調整しなければならないものもあり、大変に面倒である。もしも延長腕及び弾性部品を回転して調整する場合、周知のとおり、同時に少なくとも二個のねじ栓を調整するので、かなり面倒である。
【０００５】
【特許文献１】米国特許第６５９１４５４  Ｂ２号
【考案の開示】
【考案が解決しようとする課題】
【０００６】
解決しようとする問題点は、延長腕の弾性部品と緩衝部品は、使用が長くなると、そのうちのひとつもしくは両者が同時に疲労を起こし、調整を必要とする。更に、扉板が閉鎖する時の緩衝過程も適時調整を必要とする。しかし、公知の部品は、調整ができないか、もしくは、取り外して調整しなければならない点である。
【課題を解決するための手段】
【０００７】
本考案は、固定台、滑動台、緩衝器及び調整器を含む。そのうち、固定台は、第一端、第二端、固定耳、ねじ紋孔及び滑動槽を含み、固定耳は固定台の第一端両側に設置し、ねじ紋孔は固定台の第二端に設置する。滑動槽は、第一端と第二端との間に位置する。滑動台は、内部に納置室を設置し、且つ外側には嵌合滑動部を設置し、固定台の滑動槽に対応して嵌合する。緩衝器は、気筒で、最上桿を設置し、最上桿を滑動台に固定する。気筒は、滑動台の納置室に設置する。調整器は、ねじ栓を含み、ねじ栓を固定台のねじ紋孔に対応螺合させ、且つ滑動台に対応して連結する。ねじ栓を回転してねじ紋孔に対応させることにより、滑動台が連動して移動し、緩衝器位置と押止力を調整することを最も主要な特徴とする。
【考案の効果】
【０００８】
本考案の蝶番の緩衝装置は、下述の利点がある。
ａ．調整しやすく、直接緩衝器の位置を調整でき、緩衝作用の時機と力を変える。
ｂ．構造が簡単で、コストが低い。
ｃ．操作が簡単で、ねじ栓を調整するだけで、更に、ねじ栓の回転ボタンを回転するだけでよく、工具を使用せず、便利である。
ｄ．棚もしくは扉板上に別に設置する必要がなく、緩衝器を直接蝶番ヘッド台箇所に設置でき、扉板が閉まる時、蝶番の延長腕を押さえる。
【考案を実施するための最良の形態】
【０００９】
蝶番の緩衝装置を提供し、緩衝器の位置移動を調整する調整器で、緩衝器の作用時機もしくは力を変更し、操作しやすくすることを主な目的とする。
本考案の構造は、固定台、滑動台、緩衝器及び調整器を含み、そのうち固定台は第一端、第二端、固定耳、ねじ紋孔及び滑動槽を含む。また、固定耳は固定台の第一端両側に設置し、ねじ紋孔は固定台の第二端に設置する。滑動槽は、第一端と第二端との間に位置し、滑動台は内部に納置室を設置し、且つ外側には嵌合滑動部を設置して固定台の滑動槽に対応させる。緩衝器は、気筒で、最上桿を設置し、最上桿は滑動台に固定し、気筒は滑動台の納置室に設置する。調整器は、ねじ栓を含み、ねじ栓を固定台のねじ紋孔に螺合し、且つ滑動台を連結対応させる。ねじ栓を回転してねじ紋孔に対応するように回転し、滑動台を連動して移動し、緩衝器の位置と押止力を調整する。
滑動台は、別にＴ型の係止槽を具え、調整器上に対応するＴ型の係止塊を掛合する。
固定台の固定耳は、穿孔を具える。
調整器のねじ栓は、回転ボタンを具える。
【００１０】
（実施例１）
本考案の実施例１による蝶番の緩衝装置は、図１に示すとおり、固定台１、滑動台２、緩衝器３及び調整器４を含む。
固定台１は、固定耳１１、ねじ紋孔１２及び滑動槽１３を含む。固定耳１１は、固定台１の第一端１４の両側に設置し、両側の固定耳１１には各々穿孔１１１を具え、それらを蝶番ヘッド台５のねじ孔５１に対応させる。図２に示すとおり、固定部品５２（例として、ねじ釘）を使用し、蝶番ヘッド台５と固定台１をひとつにして扉板に固定する。ねじ紋孔１２は、固定台１の第二端１５に設置し、ねじ紋孔１２の中心軸線と滑動槽１３が平行になり、滑動槽１３は固定台１の第一端と第二端との間の平面上に設置する。
【００１１】
滑動台２は、中に納置室２１を成形し、且つ外側には嵌合滑動部２２を設置して、それを固定台１の滑動槽１３に対応させ、滑動台２の端面にはＴ型の係止槽２３を設置する。
緩衝器３は、気筒で、最上桿３１を設置し、気筒を滑動台２の納置室２１に入れ、且つ最上桿３１を滑動台２に固定する。本実施例の気筒は、空気圧の気筒とする。もちろん緩衝器３は、液壓式もしくは機械式（ばね式）でもよい。
【００１２】
調整器４は、ねじ栓４１を含み、ねじ栓４１を回転ボタン４２に結合し、ねじ栓４１を固定台１のねじ紋孔１２に対応させて螺合し、且つ図３に示すとおり、調整器４の回転ボタン４２外にはＴ型断面の係止塊４３を設置して滑動台２の係止槽２３に対応連結させる。
図４に示すとおり、調整器４の回転ボタン４２を回転させて、ねじ栓４１を固定台１のねじ紋孔１２に対応させて回転し、更に、係止塊４３で滑動台２を連動して移動する。その移動操作は、図５と図６に示すとおりで、緩衝器３の緩衝作用を調整する時、即ち、扉板の開閉を制御するのに適した角度になった時、蝶番延長腕６が緩衝器３に接触し、更に、緩衝器３がばね式機構を選択した時、緩衝器３は蝶番延長腕６の押圧を受け、内縮の距離もまた異なり、これらによって緩衝力を調整する。
【００１３】
実施時、図７に示すとおり、棚の扉板を閉める時、緩衝器３（即ち、気筒）は、扉板が閉まる時、蝶番延長腕６を押さえて緩衝効果を発揮し、扉板がゆっくりと閉まる。
他に図８に示すのは、本実施例の蝶番の緩衝装置の構造に調整器を設置しないもので、固定座１ａの第一端１４ａの両端に固定耳１１ａを設置し、固定耳１１ａに穿孔１１１ａを設置して蝶番ヘッド台５のねじ孔５１を対応させる。また、滑動台２ａ内には納置室２１ａを形成し、固定台１ａ上に連接する。緩衝器３ａは滑動台２ａに設置し、且つ緩衝器３ａの気筒を滑動台２ａから突出させて固定耳１１ａの方向に向かせる。これにより、気筒の突出部が蝶番延長腕６を押さえる。更に、図９に示すとおり、滑動台２ａと固定台１ａを一体成型してもよい。
【図面の簡単な説明】
【００１４】
【図１】本考案の実施例１による蝶番の緩衝装置の蝶番に応用した状態を示す分解斜視図である。
【図２】本考案の実施例１による蝶番の緩衝装置の蝶番に応用して棚扉板で実施した状態を示す斜視図である。
【図３】本考案の実施例１による蝶番の緩衝装置の滑動台と調整器を組み立てた状態を示す斜視図である。
【図４】本考案の実施例１による蝶番の緩衝装置の滑動台と調整器の調整実施状態を示す模式図である。
【図５】本考案の実施例１による蝶番の緩衝装置の蝶番に応用して棚扉板で実施した緩衝時機を示す模式図である
【図６】本考案の実施例１による蝶番の緩衝装置の蝶番に応用して棚扉板で実施して緩衝時機を示す模式図である。
【図７】本考案の実施例１による蝶番の緩衝装置の蝶番に応用して棚扉板で実施した緩衝後閉じた状態を示す斜視図である。
【図８】本考案の実施例１による蝶番の緩衝装置の調整器を具えない状態を示す分解斜視図である。
【図９】本考案の実施例１による蝶番の緩衝装置の調整器を具えずに滑動台と固定台を一体成型した状態を示す斜視図である。
【符号の説明】
【００１５】
１：固定台、１ａ：固定台、２：滑動台、２ａ：滑動台、３：緩衝器、３ａ：緩衝器、４：調整器、５：蝶番ヘッド台、６：蝶番延長腕、１１：固定耳、１１ａ：固定耳、１２：ねじ紋孔、１３：滑動槽、１４：第一端、１４ａ：第一端、１５：第二端、２１：納置室、２１ａ：納置室、２２：嵌合滑動部、２３：係止槽、３１：最上桿、４１：ねじ栓、４２：回転ボタン、４３：係止塊、５１：ねじ孔、５２：固定部品、１１１：穿孔、１１１ａ：穿孔
【図１】
0003129172.tif 000003
【図２】
0003129172.tif 000004
【図３】
0003129172.tif 000005
【図４】
0003129172.tif 000006
【図５】
0003129172.tif 000007
【図６】
0003129172.tif 000008
【図７】
0003129172.tif 000009
【図８】
0003129172.tif 000010
【図９】
0003129172.tif 000011